【手続補正書】
【提出日】平成27年4月8日(2015.4.8)
【手続補正１】
【補正対象書類名】特許請求の範囲
【補正対象項目名】全文
【補正方法】変更
【補正の内容】
【特許請求の範囲】
【請求項１】
車両における電子制御ユニットを制御するための制御装置プログラムが形成される、制御装置プログラムを作成するための開発装置において、
前記制御装置プログラムを生成するよう構成されている電子計算ユニット（６０６）と、
前記電子計算ユニット（６０６）に対応付けられている操作ユニット（６１０）と、
前記電子計算ユニット（６０６）に対応付けられている表示ユニット（１０２；６０４）とを備えており、
前記表示ユニット（１０２；６０４）は、第１の表示領域（１０４）と、第２の表示領域（１４０）とを有しており、
前記第１の表示領域（１０４）においては、前記表示ユニット（１０２；６０４）が、前記操作ユニット（６１０）を用いて選択可能である、作成プロセス（１０５）における一つの作成プロセスステップ又は作成プロセス（１０５）において連続する複数の作成プロセスステップ（１１１；１１２；１１３；１１４）を含んでいるフローチャート（１０６）の形態で前記制御装置プログラムの前記作成プロセス（１０５）をグラフィック描画し、
前記第２の表示領域（１４０）においては、前記表示ユニット（１０２；６０４）が、選択された作成プロセスステップ（１１１；１１２；１１３；１１４）に対応付けられている、前記制御装置プログラムのモデルの少なくとも一つの要素（１４１；１４３；１４６）をグラフィック描画し、
少なくとも一つの作成プロセスステップ（１１１；１１２；１１３；１１４）が前記開発装置（１０１）によって実行可能であることを特徴とする、開発装置。
【請求項２】
一つの作成プロセスステップ（１１１）に対応付けられている一つの要素（１４１）が、前記作成プロセスステップ（１１１）の実行時に変更又は更新される、請求項１に記載の開発装置。
【請求項３】
前記一つの作成プロセスステップ（１１１）に対応付けられており、かつ、前記作成プロセスステップ（１１１）の実行時に変更又は更新される前記一つの要素（１４１）は、選択された一つの要素（１４１）である、請求項２に記載の開発装置。
【請求項４】
選択された作成プロセスステップ（１１１）が視覚的に強調される、請求項１乃至３のいずれか一項に記載の開発装置。
【請求項５】
前記選択された作成プロセスステップ（１１１）は、選択されていない作成プロセスステップ（１１２；１１３；１１４）に対して視覚的に境界が定められて強調される、請求項４に記載の開発装置。
【請求項６】
一つの要素（１４１）を選択可能であり、前記選択された要素（１４１）が視覚的に強調される、請求項１乃至５のいずれか一項に記載の開発装置。
【請求項７】
前記選択された要素（１４１）は、選択されていない要素（１４３）に対して視覚的に境界が定められて強調される、請求項６に記載の開発装置。
【請求項８】
前記要素（１４１；１４３；１４６）はアプリケーションソフトウェアコンポーネント及び／又はベースソフトウェアモジュール及び／又はＶＰＵを含んでいる、請求項１乃至７のいずれか一項に記載の開発装置。
【請求項９】
一つの作成プロセスステップ（１１１）には、該作成プロセスステップ（１１１）を処理するための選択可能な一つ又は複数のオプション（１３１）を有するコンテキストメニュー（１２１）が対応付けられている、請求項１乃至８のいずれか一項に記載の開発装置。
【請求項１０】
一つの要素（１４６）には、該要素（１４６）を処理するための選択可能な一つ又は複数のオプション（１４７）を有するコンテキストメニュー（１４５）が対応付けられている、請求項１乃至９のいずれか一項に記載の開発装置。
【請求項１１】
前記コンテキストメニュー（１２１；１４５）は、前記表示ユニット（１０２；６０４）によって光学的に描画される、請求項９又は１０に記載の開発装置。
【請求項１２】
一つの要素（１４１；１４３；１４６）を、前記操作ユニット（６１０）を用いて処理可能である、請求項１乃至１１のいずれか一項に記載の開発装置。
【請求項１３】
単一の作成プロセスステップ（１１１；１１２；１１３；１１４）を実行可能である。請求項１乃至１２のいずれか一項に記載の開発装置。
【請求項１４】
選択可能な第１の実行要素（１３５）を有しており、該第１の実行要素（１３５）を選択することにより、選択された作成プロセスステップ（１１１；１１２；１１３；１１４）が実行される、請求項１３に記載の開発装置。
【請求項１５】
前記選択可能な第１の実行要素（１３５）は、前記表示ユニット（１０２，６０４）によって光学的に描画される第１の実行フィールドである、請求項１４に記載の開発装置。
【請求項１６】
前記作成プロセスの経過において連続する複数の作成プロセスステップ（１１１；１１２；１１３；１１４）を実行可能である、請求項１乃至１５のいずれか一項に記載の開発装置。
【請求項１７】
選択可能な第２の実行要素（１３６）を有しており、
該第２の実行要素（１３６）の選択によって、
選択された作成プロセスステップ（１１４）と、前記作成プロセスの経過において、該選択された作成プロセスステップ（１１４）に先行する少なくとも一つの作成プロセスステップ（１１１；１１２；１１３）とが実行されるか、
又は、
選択された作成プロセスステップ（１１１）と、前記作成プロセスの経過において、該選択された作成プロセスステップ（１１１）の後に続く少なくとも一つの作成プロセスステップ（１１２；１１３；１１４）とが実行される、請求項１６に記載の開発装置。
【請求項１８】
前記選択可能な第２の実行要素（１３６）は、前記表示ユニットによって光学的に描画される第２の実行フィールドである、請求項１７に記載の開発装置。
【請求項１９】
一つの作成プロセスステップ（１１１；１１２；１１３；１１４）が実行時に視覚的に強調される、請求項１乃至１８のいずれか一項に記載の開発装置。
【請求項２０】
前記一つの作成プロセスステップ（１１１；１１２；１１３；１１４）は実行時に、選択されていない作成プロセスステップに対して視覚的に境界が定められて強調される、請求項１９に記載の開発装置。
【請求項２１】
車両における電子制御ユニットを制御するための制御装置プログラムが形成される、制御装置プログラムを作成するための方法において、
操作ユニット（６１０）を用いて選択可能である、作成プロセス（１０５）における一つの作成プロセスステップ又は作成プロセス（１０５）において連続する複数の作成プロセスステップ（１１１；１１２；１１３；１１４）を含むフローチャート（１０６）の形態で、制御装置プログラムの作成プロセス（１０５）を表示ユニット（１０２；６０２）の第１の部分領域（１０４）内にグラフィック描画するステップ（５１０）と、
グラフィック描画された作成プロセスステップ（１１１；１１２；１１３；１１４）を選択するステップ（５２０）と、
選択された前記作成プロセスステップ（１１１；１１２；１１３；１１４）に対応付けられている、前記制御装置プログラムのモデルの少なくとも一つの要素（１４１；１４３；１４６）を前記表示ユニット（１０２；６０４）の第２の部分領域（１４０）内にグラフィック描画するステップ（５４０）と、
少なくとも一つの作成プロセスステップ（１１１；１１２；１１３；１１４）を実行するステップ（５７０）とを備えていることを特徴とする、制御装置プログラムを作成するための方法。
【請求項２２】
一つの作成プロセスステップ（１１１；１１２；１１３；１１４）に対応付けられている、選択された一つの要素（１４１）を、該作成プロセスステップ（１１１；１１２；１１３；１１４）の実行時に更新するステップ（５８０）を備えている、請求項２１に記載の方法。
【請求項２３】
選択された作成プロセスステップ（１１１；１１２；１１３；１１４）を視覚的に強調するステップ（５３０）を備えている、請求項２１又は２２に記載の方法。
【請求項２４】
前記選択された作成プロセスステップ（１１１；１１２；１１３；１１４）を視覚的に強調する前記ステップ（５３０）は、前記選択された作成プロセスステップ（１１１；１１２；１１３；１１４）を、選択されていない作成プロセスステップに対して視覚的に境界を定めて強調することを含む、請求項２３に記載の方法。
【請求項２５】
一つの要素（１４１）を選択するステップ（５５０）と、
選択された要素（１４１）を、選択されていない要素（１４３）に対して視覚的に境界を定めて視覚的に強調するステップ（５６０）とを備えている、請求項２１乃至２４のいずれか一項に記載の方法。
【請求項２６】
選択された単一の作成プロセスステップ（１１１；１１２；１１３；１１４）を実行するステップ（５７２）を備えている、請求項２１乃至２５のいずれか一項に記載の方法。
【請求項２７】
第１の実行要素（１３５）の選択（５７１）によって、前記作成プロセスステップを実行するステップ（５７０）を行う、請求項２６に記載の方法。
【請求項２８】
前記第１の実行要素（１３５）の選択（５７１）は、前記表示ユニットによってグラフィック描画される第１の実行フィールドの選択（５７１）として行われる、請求項２７に記載の方法。
【請求項２９】
前記作成プロセスの経過において連続する複数の作成プロセスステップ（１１１；１１２；１１３；１１４）を実行するステップ（５７３）を備えている、
但し、選択された作成プロセスステップ（１１４）と、前記作成プロセスの経過において、該選択された作成プロセスステップ（１１４）に先行する少なくとも一つの作成プロセスステップ（１１１；１１２；１１３）とを実行する（５７４）、又は、
但し、選択された作成プロセスステップ（１１１）と、前記作成プロセスの経過において、該選択された作成プロセスステップ（１１１）の後に続く少なくとも一つの作成プロセスステップ（１１２；１１３；１１４）とを実行する（５７５）、請求項２１乃至２８のいずれか一項に記載の方法。